(57)【要約】【課題】  人の顎や頬の弛みを矯正することができると共に、それらに刺激を与えてマッサージ効果を発揮できる美顔装置の提供。【解決手段】  ゴム弾性を有する平面略Ｖ字状の本体１を横断面略Ｖ字状に折り曲げると共に、その状態を保持するように止着手段２によって折り曲げ線の両側を互いに止着し、そのＶ字の角度が弾性的に拡縮できるようにする。【選択図】        図１
2007089730.tif 000002
【特許請求の範囲】
【請求項１】
展開平面が鈍角の略Ｖ字状に形成されたゴム弾性を有する板状の本体(1) を有し、
その本体(1) の前記鈍角の二等分線(S) の回りに、横断面が略Ｖ字になるように、その弾性に抗して所定角度に折り曲げられた状態で、その形状を保持するように二等分線の近傍の両側が止着手段(2) により互いに止着されて、その横断面のＶの前記所定角度が弾性的に拡縮するように構成した美顔装置。
【請求項２】
請求項１において、
前記本体(1) の内面に、その内面に略整合する保水性のパット(8) を着脱自在に内装した美顔装置。
【請求項３】
請求項２において、
前記パット(8) は、スポンジとその外周を被覆する布材よりなる美顔装置。
【請求項４】
請求項２または請求項３において、
前記止着手段(2) による止着部と前記二等分線(S) との間に液滴排出用の溝部(3) が形成された美顔装置。
【請求項５】
請求項１において、
前記本体(1) は、展開平面の中央部(1a)および両端部(1b)の幅がそれらの間に位置する一対の中間部(1c)の幅より夫々狭く形成されると共に、一対の前記中間部(1c)の下縁に補強用のリブ部 (4)が夫々一体に形成された美顔装置。
【請求項６】
請求項１において、
本体(1) の一対の前記中間部(1c)の上部および前記両端部に、第１保持帯(5) および第２保持帯(6) の夫々の取付部(5a)(6a)が夫々設けられ、第１保持帯(5) が首部の外周に懸回され、第２保持帯(6) が頭部の外周に懸回されるように構成された美顔装置。
【発明の詳細な説明】
【技術分野】
【０００１】
本発明は、主として顎および／または頬の弛みを矯正する矯正用の美顔装置に関する。
【背景技術】
【０００２】
頬の弛みを矯正するため、顔面の皮膚を伸ばすバンドが提案されている（例えば、特許文献１参照）。
これは、顔面の額上部から後頭部付近にかけてヘアバンド状に取付けることができる伸縮自在な第１の帯状体と、左右何れか一方を耳たぶ付近に固定し、顎部分を介して他方の耳たぶ付近で着脱できる伸縮自在な第２の帯状体とを有する。そして、第１の帯状体の額上方中心から後頭部衿付近にかけて、着脱自在に伸縮可能な帯状体を設け、顔面を上下および左右両側方向から引っ張って皮膚を張り詰めた状態に保ち、その結果、顔面の皮膚を伸ばして弛みを矯正するものである。
【０００３】
また、本発明者は既に特許文献２に記載の「顎および／または頬の弛み矯正具」を提案している。これは、顎および／または頬を上方に吊り上げてその弛みを矯正するものであって、その顎および頬を覆うように中間部が上端部および下端部に比べて幅広に形成された一対の本体と、一対の本体の下側を連結する下部連結体と、上側を連結する上部連結体とを有し、それらの少なくとも一方が伸縮自在に調整されるものである。
【０００４】
【特許文献１】特開昭６０−８３６０８号公報
【特許文献２】実用新案登録第３０９７４１３号公報
【発明の開示】
【発明が解決しようとする課題】
【０００５】
前者の顔面皮膚のばし用バンドは、頬の一部を上方に引き伸ばす効果はあるものの、顎全体を持ち上げることはできず、バンドとそれ以外の部分にかえって皺が生じるおそれがある。
次に、後者の考案は、顎および頬の弛みを矯正する効果はあるものの、顎および頬をそれ自体で挟み込むフィット感に欠ける欠点があった。
そこで本発明は、顎および頬を確実に弾性的に把持し、フィット感の良い美顔装置を提供することを課題とする。
【課題を解決するための手段】
【０００６】
請求項１に記載の本発明は、  展開平面が鈍角の略Ｖ字状に形成されたゴム弾性を有する板状の本体(1) を有し、
その本体(1) の前記鈍角の二等分線(S) の回りに、横断面が略Ｖ字になるように、その弾性に抗して所定角度に折り曲げられた状態で、その形状を保持するように二等分線の近傍の両側が止着手段(2) により互いに止着されて、その横断面のＶの前記所定角度が弾性的に拡縮するように構成した美顔装置である。
【０００７】
請求項２に記載の本発明は、請求項１において、
前記本体(1) の内面に、その内面に略整合する保水性のパット(8) を着脱自在に内装した美顔装置である。
請求項３に記載の本発明は、請求項２において、
前記パット(8) は、スポンジとその外周を被覆する布材よりなる美顔装置である。
請求項４に記載の本発明は、請求項２または請求項３において、
前記止着手段(2) による止着部と前記二等分線(S) との間に液滴排出用の溝部(3) が形成された美顔装置である。
【０００８】
請求項５に記載の本発明は、請求項１において、
前記本体(1) は、展開平面の中央部(1a)および両端部(1b)の幅がそれらの間に位置する一対の中間部(1c)の幅より夫々狭く形成されると共に、一対の前記中間部(1c)の下縁に補強用のリブ部 (4)が夫々一体に形成された美顔装置である。
請求項６に記載の本発明は、請求項１において、
本体(1) の一対の前記中間部(1c)の上部および前記両端部に、第１保持帯(5) および第２保持帯(6) の夫々の取付部(5a)(6a)が夫々設けられ、第１保持帯(5) が首部の外周に懸回され、第２保持帯(6) が頭部の外周に懸回されるように構成された美顔装置である。
【発明の効果】
【０００９】
本発明の美顔装置は、本体１をその横断面がＶ字状になるように所定角度に折り曲げた状態で、止着手段２によりその二等分線の近傍の両側を互いに止着して、その横断面のＶ字の角度が弾性的に拡縮するように構成したから、それを人の顎部に被着したとき、その顎の外周を弾性的に保持することができる。そして顎部全体を適度な圧力で押圧して、皮膚を張り詰めた状態に保ち、顔面の皮膚を縮小する方向に圧力を加え、弛みを矯正することができる。また、顎の外周を押圧しマッサージ効果を得ることができる。
【００１０】
上記構成において、本体１内面にパット８を内装した場合には、パット８を加温または冷却することにより、マッサージ効果を増強できると共に、パット８の存在により肌への接触感が良好となる。
上記構成において、パット８をスポンジとその外周を被覆する布材で構成した場合には、さらに肌への接触感が良くなる。
上記構成において、止着手段２による止着部と二等分線Ｓとの間に液滴排出用の溝部３を形成したものにおいては、パット８に含まれた水の排出を溝部３を介し円滑に行うことができる。
【００１１】
上記構成において、本体１は展開平面において、中央部1aおよび端部1bの幅をそれらの間に位置する一対の中間部1cの幅より夫々狭くするようにし且つ、一対の中間部1cの下縁に補強用のリブ４を設けたものにおいては、それを被着したときの顎部のフィット感がさらに良くなる。それにより、皺伸ばしとマッサージ効果が増強される。
上記構成において、本体１の中間部1cの上部および両端部に第１保持帯５および第２保持帯６の夫々の取付部5a，6aを設け、第１保持帯５が首部の外周に懸回されると共に、第２保持帯６が頭部の外周に懸回されるように構成した場合には、安定性が良く取付けのフィット感がより向上する。それと共に、皺を縮小させる効果が増大する。
【発明を実施するための最良の形態】
【００１２】
次に、図面に基づいて本発明の実施の形態につき説明する。
図１は本発明の美顔装置の使用説明図であり、図２はその本体１の展開状態を示す平面図および正面図並びにＣ−Ｃ断面図である。また、図３はその本体１を中心線（展開状態の二等分線）の回りに湾曲させる説明図、図４はさらにその横断面をＶ字状に形成し、その状態を保持するため止着手段２によって中心線の近傍両側が止着された状態を示し、（Ａ）はその正面図、（Ｂ）は平面図、（Ｃ）は（Ａ）のＣ−Ｃ断面図である。さらに図５はその背面図である。図６はパット８の平面図およびＢ−Ｂ断面略図である。また、図７はセット具17に取付けた本体１およびパット８の取扱い説明図である。
【００１３】
この美顔装置は、本体１とパット８とを有する。
本体１は、その展開状態で図２（Ａ）に示す如く、その平面が鈍角の略Ｖ字状に形成されたゴム弾性を有する板状からなる。そしてその中央部1aの幅Ｌ1 および両端に位置する端部1bの幅Ｌ２がそれらの中間部にあるＬ３の幅よりも狭く形成されている。そしてこの中間部1cの下側周縁部には補強用のリブ４が形成されている。
なお、この本体１はゴム成形により形成され、その横断面は図２（Ｃ）の如く僅かに湾曲した湾曲面22を有する。また、本体１の中間部1cにおけるリブ４の近傍には、一対の取付部5aとして、この例では雄型の第１ファスナ12が取付けられている。
【００１４】
本体１の両端部には、取付部6aとして細長い挿通孔10が設けられている。そして平面状態でくの字状（展開状態でＶ字状）の鈍角に形成された、鈍角の二等分線Ｓ（中心線）の回りに、図３および図４の如く折り曲げられ、断面Ｖの字状に形成され、その状態を保持するようにその中心線の両側が互いに止着手段２によって止着される。このとき、本体１の横断面の角度は４５°〜６０°程度である。その止着手段２によって、折り曲げの中心線には溝部３が形成される。そしてその外面側に突条部が表れる。本体１の中間部1cの内側は、人の顎の両側および頬が弾性的に把持される。
【００１５】
また、本体１内にはその形状に略整合するパット８が着脱自在に着座される。パット８は、その平面状態が図６（Ａ）の如く形成され、内部にスポンジ７が設けられ、その外周を外面布8a，内面布8bが覆う。内側に存在する内面布8bは、外側の外面布8aより僅かにその長さが短く形成され、図１の如く、くの字状に折った状態で内面布8b側に皺ができない構造となっている。外面布8aの長手方向両側には一対の帯９が延在し、それらが本体１の挿通孔10に図１の如く挿通される。そして、本体１の外面側に一対の第１ファスナ12が突出し、その第１ファスナ12に第１保持帯５の第２ファスナ13の雌型が取付けられる。また、本体１の両端に形成された挿通孔10には、図１に示す如く第２保持帯６が挿通され、その第２保持帯６の一端は一方の挿通孔10に止着され、他端は面ファスナ11によって全体の長さを調整できるように着脱自在に止着される。
【００１６】
なお、第２保持帯６の中央部は三叉状に形成され、人の頭部15の頂部に懸回される。本体１およびパット８は、人の顎部14および頬の外周に弾性的に取付けられる。そして第１保持帯５が人の首部16の回りに懸回され、その先端が適宜長さとなるように、所望の第２ファスナ13を第１ファスナ12に止着する。そしてこれらによって、本体１およびパット８が弾性的に人の顎部および両頬を保持した状態で、第２保持帯６によってその部分を引き上げる。それと共に、第１保持帯５によって後方に引き締める。このときゴム弾性を有する本体１と、止着手段２との作用により、本体１およびパット８と人の顎部とがフィットする。
【００１７】
これは止着手段２によって、予め人の顎部外周よりも狭い断面略Ｖ字状に形成されるため、それを僅かに広げて顎の回りに保持するので、その外周を引き締めてフィットさせるものである。このとき、本体１の下部両縁に突出されたリブ４が本体１の剛性を増し、弾性力を補強するものとなる。
なお、第１保持帯５および第２保持帯６は外周に布が被覆された帯状のゴム紐を用いることが好ましい。
【００１８】
パット８のスポンジには、冷却した水或いは加温した温水を含ませることにより、血行を促し、新陳代謝を促進して、顎や頬等の弛みを矯正することができる。また、パット８に化粧水を含ませても良い。それにより、肌を活性化させることができる。さらにはパット８に香り成分を塗布することにより、癒しの効果を期待することもできる。パット８の外面布8aおよび内面布8bは、絹材を被覆することが好ましい。それにより肌触りの良いものとすることができる。
【００１９】
次に、図７のセット具17は、本発明の美顔装置を保管する際および取付ける際に便利なものである。
即ち、予め第２保持帯６の長さを調節した状態でそれをセット具17の横架部20に横架し、本体１の内側にパット８を保持して、その両側の帯９を挿通孔10に挿通することができる。そして、そのままそれを顔に取付けるには、図１の如く第２保持帯６を頭部15の外周に懸回し、第１保持帯５を首部16の外周に懸回する。そしてパット８の一対の帯９を外側に引っ張って、パット８の内面側の皺を取り除くと共に、本体１の中心を外側に僅かに引っ張って、フィット感の最も良い位置にセットすることができる。
【図面の簡単な説明】
【００２０】
【図１】本発明の美顔装置の取付け状態を示す説明図。
【図２】同装置の本体１の展開状態を示し、（Ａ）は平面図、（Ｂ）は正面図，（Ｃ）はＣ−Ｃ断面図。
【図３】同平面状態の本体１を中心線（展開状態の二等分線Ｓ線）の回りに折り曲げた状態を示す正面図。
【００２１】
【図４】同折り曲げ状態をさらに断面くの字状（Ｖ字状）に形成し、その状態を止着手段２で止着した状態を示し、（Ａ）は正面図、（Ｂ）は平面図、（Ｃ）は（Ａ）のＣ−Ｃ断面図。
【図５】同背面図。
【図６】本体１の内側に着脱自在に着座されるパット８の状態を示し、（Ａ）は平面図、（Ｂ）は（Ａ）のＢ−Ｂ断面略図。
【図７】同美顔装置のセット具17の使用説明図。
【符号の説明】
【００２２】
１  本体
1a  中央部
1b  端部
1c  中間部
２  止着手段
３  溝部
４  リブ
５  第１保持帯
5a  取付部
【００２３】
６  第２保持帯
6a  取付部
７  スポンジ
８  パット
8a  外面布
8b  内面布
９  帯
10  挿通孔
【００２４】
11  面ファスナ
12  第１ファスナ
13  第２ファスナ
14  顎部
15  頭部
16  首部
【００２５】
17  セット具
18  基部
19  脚部
20  横架部
21  美顔装置
22  湾曲面
【図１】
2007089730.tif 000003
【図２】
2007089730.tif 000004
【図３】
2007089730.tif 000005
【図４】
2007089730.tif 000006
【図５】
2007089730.tif 000007
【図６】
2007089730.tif 000008
【図７】
2007089730.tif 000009